(57)【要約】【課題】  電柱等に登る際に、収納した部品類や工具類が地上に落下するのを防止するとともに、柱上作業の効率を高める。【解決手段】  柱上作業に用いる作業用工具袋１であって、上部が開口された第１袋部３と、該第１袋部３の前面側に設けられる前記第１袋部３よりも容積の小さい上部が開口された第２袋部１２と、該第２袋部１２の前面側に設けられる前記第２袋部１２よりも容積の小さい上部が開口された第３袋部１８とからなる袋本体２と、前記第３袋部１８の開口部を開閉する内蓋２６と、前記第１袋部３の開口部及び前記第２袋部１２の開口部を開閉するとともに、前記第３袋部１８の開口部を前記内蓋２６の外側から二重に開閉する外蓋２８と、前記第１袋部３の背面側に設けられる肩掛け用紐３０と、前記第１袋部３の背面側の前記肩掛け用紐３０よりも下方の部分に設けられる固定用ベルト３１とを備えている。【選択図】        図１
2017193031.tif 000002
【特許請求の範囲】
【請求項１】
柱上作業に用いる作業用工具袋であって、
上部が開口された第１袋部と、該第１袋部の前面側に設けられる前記第１袋部よりも容積の小さい上部が開口された第２袋部と、該第２袋部の前面側に設けられる前記第２袋部よりも容積の小さい上部が開口された第３袋部とからなる袋本体と、前記第３袋部の開口部を開閉する内蓋と、前記第１袋部の開口部及び前記第２袋部の開口部を開閉するとともに、前記第３袋部の開口部を前記内蓋の外側から二重に開閉する外蓋と、前記第１袋部の背面側に設けられる肩掛け用紐と、前記第１袋部の背面側の前記肩掛け用紐よりも下方の部分に設けられる固定用ベルトとを備えていることを特徴とする作業用工具袋。
【請求項２】
前記第１袋部の内部には、前記第１袋部の内部を複数の室に区画する仕切りが設けられていることを特徴とする請求項１に記載の作業用工具袋。
【請求項３】
前記第３袋部の内部には、前記第３袋部の内部を複数の室に区画する仕切りが設けられていることを特徴とする請求項１又は２に記載の作業用工具袋。
【請求項４】
前記第２袋部の内部には、工具を上方から差し込み可能な工具差しが複数箇所に設けられていることを特徴とする請求項１〜３の何れか１項に記載の作業用工具袋。
【請求項５】
前記第１袋部は、上部が開口された四角形箱状をなし、前記第２袋部は、上部が開口された四角形箱状をなし、前記第３袋部は、上部が開口された四角形箱状をなしていることを特徴とする請求項１〜４の何れか１項に記載の作業用工具袋。
【請求項６】
前記肩掛け用紐及び前記固定用ベルトは、長さの調節が可能に構成されていることを特徴とする請求項１〜５の何れか１項に記載の作業用工具袋。
【発明の詳細な説明】
【技術分野】
【０００１】
本発明は、作業用工具袋に関し、特に、電柱等における柱上作業に有効な作業用工具袋に関する。
【背景技術】
【０００２】
従来、電柱に登って電線ヒューズ等の取り替え等の柱上作業を行う場合、例えば、作業者が地上で工具袋内に作業に必要な部品類（電線ヒューズ、高圧ヒューズ、ヒューズ筒、スリーブ、ビニルテープ、バインド線等）や、工具類（ペンチ、圧縮ペンチ、ドライバー等）を収納し、工具袋の取手にロープを取り付け、工具袋を地上に置いた状態で作業者がロープを持って電柱の所定の高さまで登り、ロープを手繰り寄せて工具袋を引き上げ、工具袋の取手からロープを取り外し、工具袋を取手を介して足場ボルト等に吊り下げ、工具袋から部品類や工具類を出し入れすることにより、各種の柱上作業を行っている。
【０００３】
また、作業者が地上で安全ベルトに腰袋を取り付け、腰袋内に上記の部品類や工具類を収納し、作業者が安全ベルトに腰袋を取り付けた状態で電柱の所定の高さまで登り、腰袋から上記の部品類や工具類を直接出し入れすることにより、或いは、安全ベルトから腰袋を取り外して、取手を介して腰袋を足場ボルト等に吊り下げ、腰袋から部品類や工具を出し入れすることにより、各種の柱上作業を行っている。
【０００４】
ところで、電柱の所定の高さまで工具袋をロープで引き上げる方法は、弱電線等の装柱状況によっては、ロープや工具袋が弱電線等に引っ掛かるおそれがあるため、適用可能な作業現場の範囲が制限される。また、ロープで工具袋を引き上げる際に、工具袋が傾いて部品類や工具類が地上に落下するおそれがある。
【０００５】
また、安全ベルトに腰袋を取り付ける方法は、腰袋の容積が小さく、腰袋内に作業に必要な部品類や工具類を一杯に詰めることになるため、作業の際に腰袋から部品類や工具類の出し入れがしづらく、作業効率が悪くなる。また、腰袋から工具類を出し入れする際に、工具同士が引っ掛かって地上に落下するおそれがある。さらに、電柱に登る際の作業者の姿勢によっては、腰袋が傾いて腰袋内から工具類や部品類が地上に落下するおそれがある。
【０００６】
特許文献１には、上端が開口された収納袋部と、収納袋部の開口縁部に設けられた吊下げベルトと、収納袋部の開口縁部に設けられた留め具部材とを備えた長尺工具用収納袋が記載されている。
【０００７】
特許文献１に記載の長尺工具用収納袋を用いて電柱に登って柱上作業を行うには、収納袋部に部品類や工具類（ホットスティック等）を収納し、収納袋部から突出している工具類の周囲に留め具部材を巻き付けることにより、工具類を留め具部材で束ねた状態とする。
【０００８】
そして、吊下げベルトにロープを取り付けて、作業者がロープを持って電柱の所定の高さまで登り、ロープを手繰り寄せて長尺工具用収納袋を引き上げ、吊下げベルトからロープを取り外して、吊下げベルトを介して長尺工具用収納袋を電柱の足場ボルト等に吊り下げ、長尺工具用収納袋から部品類や工具類を出し入れすることにより、各種の柱上作業を行うことができる。
【０００９】
特許文献１に記載の長尺工具用収納袋を用いることにより、ロープで長尺工具用収納袋を引き上げる際に、長尺工具用収納袋が傾いて部品類や工具類が地上に落下するおそれはない。しかし、弱電線等の装柱状況によっては、ロープや長尺工具用収納袋が弱電線等に引っ掛かるおそれがあるため、適用可能な作業現場の範囲が制限されることになる。
【００１０】
特許文献２には、吊り下げ部と、吊り下げ部の前面に設けられた複数の工具挿入部と、工具挿入部の前方を覆うように、吊り下げ部の側端部に周縁部が固着された袋状部と、吊り下げ部の上端部から後方に延出された延出部とからなる袋本体と、延出部に形成された長孔に対して上下方向にスライド自在に設けられたスライド部材とを備えた工具袋が記載されている。
【００１１】
特許文献２に記載の工具袋を用いて電柱に登って柱上作業を行うには、吊下げ部と延出部とスライド部材とによって形成されるコ字形状の囲みに安全帯のベルトを挿入することにより、安全帯に工具袋を取り付ける。
【００１２】
そして、袋本体の袋状部及び工具挿入部に部品類や工具類を収納し、作業者が安全ベルトに腰袋を取り付けた状態で電柱の所定の高さまで登り、安全帯のベルトから工具袋を取り外し、工具袋のスライド部材の上端部に設けられた引掛け部材を電柱の足場ボルト等に吊り下げ、袋本体の袋状部及び工具挿入部から部品類や工具を出し入れすることにより、各種の柱上作業を行うことができる。
【００１３】
特許文献２に記載の工具袋を用いることにより、袋状部及び工具挿入部内に部品類や工具類を整理して収納することができるので、部品類や工具類の出し入れがし易く、作業効率を高めることができる。また、工具類を出し入れする際に、工具同士が引っ掛かって地上に落下するようなことはない。しかし、電柱に登る際の作業者の姿勢によっては、工具袋が傾いて袋状部及び工具挿入部内から工具類や部品類が地上に落下するおそれがある。
【先行技術文献】
【特許文献】
【００１４】
【特許文献１】特開２００８−７３８０４号公報
【特許文献２】特開２００８−９３８１５号公報
【発明の概要】
【発明が解決しようとする課題】
【００１５】
本発明は、上記のような従来の問題に鑑みなされたものであって、電柱等に登って電線ヒューズ等の取り替え等の各種の柱上作業を行う場合に、弱電線等の装柱状況に影響されることなく、各種の現場に適用することができるとともに、電柱に登る際の作業者の姿勢によって内部から工具類や部品類が地上に落下するおそれがなく、さらに、出し入れがし易く、作業効率を高めることができる作業用工具袋を提供することを目的とする。
【課題を解決するための手段】
【００１６】
上記のような課題を解決するために、本発明は、以下のような手段を採用している。
すなわち、本発明は、柱上作業に用いる作業用工具袋であって、上部が開口された第１袋部と、該第１袋部の前面側に設けられる前記第１袋部よりも容積の小さい上部が開口された第２袋部と、該第２袋部の前面側に設けられる前記第２袋部よりも容積の小さい上部が開口された第３袋部とからなる袋本体と、前記第３袋部の開口部を開閉する内蓋と、前記第１袋部の開口部及び前記第２袋部の開口部を開閉するとともに、前記第３袋部の開口部を前記内蓋の外側から二重に開閉する外蓋と、前記第１袋部の背面側に設けられる肩掛け用紐と、前記第１袋部の背面側の前記肩掛け用紐よりも下方の部分に設けられる固定用ベルトとを備えていることを特徴とする。
【００１７】
本発明の作業用工具袋によれば、例えば、電柱に登って電線ヒューズの取り替え等の柱上作業を行う場合に、第１袋部に電線ヒューズ等の部品類、及び圧縮ペンチ等の工具類を収納し、第２袋部にドライバー、カッターナイフ等の工具類を収納し、第３袋部内にスリーブ、ビニルテープ、バインド線等の部品類を収納し、第３袋部の開口部を内蓋で閉塞し、第１袋部及び第３袋部の開口部を外蓋で閉塞し、第３袋部の開口部を内蓋の外側から外蓋で二重に閉塞し、この状態で肩掛け用紐を肩に斜に掛け、固定用ベルトを胴に締め付けることにより、作業用工具袋を腰に固定することができる。そして、この状態で電柱を所定の高さまで登って電線ヒューズの取り替え作業を行うことができる。従って、電柱を登る際の作業者に姿勢によって作業用工具袋が傾いても、第１袋部、第２袋部、及び第３袋部の内部から部品類や工具類が地上に落下するようなことはなく、地上の安全を確保することができる。
【００１８】
また、第１袋部に電線ヒューズ等の部品類、及び圧縮ペンチ等の工具類を収納し、第２袋部にドライバー、カッターナイフ等の工具類を収納し、第３袋部内にスリーブ、ビニルテープ、バインド線等の部品類を整理して収納することができるので、部品類や工具類の出し入れの際に、部品類同士が引っ掛かったり、工具類同士が引っ掛かって地上に落下するようなことはない。
【００１９】
さらに、電線ヒューズ等の取り替え作業を行う場合に、肩掛け用紐を電柱の足場ボルト等に引っ掛け、固定用ベルトを電柱の周囲に回して締め付けることにより、作業用袋を電柱に固定することができるので、第１袋部、第２袋部、及び第３袋部からの部品類や工具類の出し入れを容易に行うことができ、電線ヒューズ等の取り替え作業の効率を高めることができる。
【００２０】
また、本発明において、前記第１袋部の内部には、前記第１袋部の内部を複数の室に区画する仕切りが設けられていることとしてもよい。
【００２１】
本発明の作業用工具袋によれば、第１袋部の内部を、電線ヒューズ等の部品類を収納する室、圧縮ペンチ等の工具類を収納する室、低圧用絶縁ゴム手袋等を収納する室等に区画することができるので、部品類の出し入れや工具類の出し入れの際に、部品同士や工具類同士が引っ掛かるようなことはなく、作業に必要な部品類や工具類の出し入れを容易に、確実に行うことができる。
【００２２】
また、本発明において、前記第３袋部の内部には、前記第３袋部の内部を複数の室に区画する仕切りが設けられていることとしてもよい。
【００２３】
本発明の作業用工具袋によれば、第３袋部の内部を、スリーブ等の部品類を収納する室、ビニルテープ等の部品類を収納する室等に区画することができるので、作業に必要な部品類の出し入れを容易に、確実に行うことができる。
【００２４】
また、本発明において、前記第２袋部の内部には、工具を上方から差し込み可能な工具差しが複数箇所に設けられていることとしてもよい。
【００２５】
本発明の作業用工具袋によれば、所定の工具差しに所定の工具を差し込むように決めておくことにより、作業に必要な工具の出し入れを容易に、確実に行うことができる。
【００２６】
また、本発明において、前記第１袋部は、上部が開口された四角形箱状をなし、前記第２袋部は、上部が開口された四角形箱状をなし、前記第３袋部は、上部が開口された四角形箱状をなしていることとしてもよい。
【００２７】
本発明の作業用工具袋によれば、第１袋部、第２袋部、及び第３袋部からの部品類及び工具類の出し入れを容易に、確実に行うことができる。
【００２８】
また、本発明において、前記肩掛け用紐及び前記固定用ベルトは、長さの調節が可能に構成されていることとしてもよい。
【００２９】
本発明の作業用工具袋によれば、肩掛け用紐の長さ及び固定用ベルトの長さを調節することにより、体格の異なる様々な作業者に対応することができる。
【発明の効果】
【００３０】
以上、説明したように、本発明の作業用工具袋によれば、電柱等に登って電線ヒューズ等の取り替え等の各種の柱上作業を行う場合に、弱電線等の装柱状況に影響されることなく、各種の現場に対応することができる。また、電柱等に登る際の作業者の姿勢によって内部から工具類や部品類が地上に落下するおそれがない。さらに、出し入れがし易く、作業効率を高めることができる。
【図面の簡単な説明】
【００３１】
【図１】本発明による作業用工具袋の一実施の形態を示した概略図である。
【図２】図１のＡ矢視図である。
【図３】図１のＢ矢視図である。
【発明を実施するための形態】
【００３２】
以下、図面を参照しながら本発明の実施の形態について説明する。
図１〜図３には、本発明の作業用工具袋の一実施の形態が示されている。
本実施の形態の作業用工具袋１は、電柱等に登って各種の柱上作業を行う場合に適用されるものであって、例えば、作業者が電柱に登って電線ヒューズを取り替える柱上作業に有効なものである。
【００３３】
作業用工具袋１は、上部が開口された四角箱状の第１袋部３と、第１袋部３の前面３ａ側に一体に設けられる上部が開口された四角箱状の第２袋部１２と、第２袋部１２の前面１２ａ側に一体に設けられる上部が開口された四角箱状の第３袋部１８と、第３袋部１８の開口部を開閉する内蓋２６と、第１袋部３、第２袋部１２、及び第３袋部１８の開口部を開閉する外蓋２８とからなる袋本体２と、第１袋部３の背面３ｂ側の上部に設けられる肩掛け用紐３０と、第１袋部３の背面３ｂ側の下部に設けられる固定用ベルト３１とから構成されている。
【００３４】
第１袋部３は、絶縁性を有する材料（布、革、合成革、合成樹脂等）から形成されるものであって、四角板状の前板４と、前板４の後方に間隔をおいて設けられる前板４と同一大きさの四角板状の後板５と、前板４と後板５の両端間にそれぞれ設けられる四角板状の側板６と、前板４、後板５、両側板６の下端に設けられる四角板状の底板７とから構成されている。
【００３５】
第１袋部３の内部の前板４と後板５との間には、同一大きさの２枚の四角板状の仕切り板８が底部から所定の高さまで及ぶように、かつ両側板６と平行をなすように設けられ、これらの２枚の仕切り板８によって、第１袋部３の内部が中央の第１室９とその両側の第２室１０と第３室１１の３室に区画されている。仕切り板８は、前板４と後板５との間に接着剤、縫製等の接合手段によって一体に接合してもよいし、前板４と後板５との間に面ファスナー等の着脱手段によって着脱可能に接合してもよい。
【００３６】
第１袋部３の第１室９には、例えば、低圧用絶縁ゴム手袋等の絶縁用保護具が収納され、第２室１０には、圧縮ペンチ等の工具類が収納され、第３室１１には、電線ヒューズ、高圧ヒューズ、ヒューズ筒等の部品類が収納される。
【００３７】
第２袋部１２は、絶縁性を有する材料（布、革、合成革、合成樹脂等）から形成されるものであって、第１袋部３の前板４及び後板５と同一幅の四角板状の前板１３と、前板１３の後方に間隔をおいて設けられる前板１３と同一大きさの四角板状の後板１４と、前板１３と後板１４の両端間にそれぞれ設けられる四角板状の側板１５と、前板１３、後板１４、両側板１５の下端に設けられる四角板状の底板１６とから構成されている。
【００３８】
第２袋部１２は、底板１６が第１袋部３の底板７と面一となり、両側板１５が第１袋部３の両側板６と面一となるように、第１袋部３の前面３ａ側に接着剤、縫製等の接合手段によって一体に接合されている。第２袋部１２は、第１袋部３よりも容積が小さくなるように、前板１３、後板１４、側板１５、及び底板１６の寸法が設定されている。
【００３９】
第２袋部１２の後板１４の内面側には、中央部とその両側の３箇所に半筒状の工具差し１７が上下方向を向くように接着剤、縫製等の接合手段によって一体に接合され、これらの工具差し１７にドライバー、カッターナイフ、ペンチ、ラチェットレンチ等の工具類が上方から差し込み可能に構成されている。
【００４０】
なお、第２袋部１２を、前板１３と両側板１５と底板１６とによって構成し、両側板１５と底板１６の端部を第１袋部３の前板４に一体に接合するように構成してもよい。
【００４１】
第３袋部１８は、絶縁性を有する材料（布、革、合成革、合成樹脂等）から形成されるものであって、第１袋部３の前板４及び後板５と同一幅の四角形板状の前板１９と、前板１９の後方に間隔をおいて設けられる前板１９と同一大きさの四角形板状の後板２０と、前板１９と後板２０の両端間にそれぞれ設けられる四角形板状の側板２１と、前板１９、後板２０、両側板２１の下端に設けられる四角形板状の底板２２とから構成されている。
【００４２】
第３袋部１８は、底板２２が第２袋部１２の底板１６と面一となり、両側板２１が第２袋部１２の両側板１５と面一となるように、第２袋部１２の前面１２ａに接着剤、縫製等の接合手段によって一体に接合されている。第３袋部１８は、第２袋部１２よりも容積が小さくなるように、前板１９、後板２０、側板２１、及び底板２２の寸法が設定されている。
【００４３】
第３袋部１８の前板１９と後板２０との間の中央部には、１枚の四角板状の仕切り板２３が全高に亘るように、かつ両側板２１と平行をなすように設けられ、この１枚の仕切り板２３によって第３袋部１８の内部が第１室２４と第２室２５の２室に区画されている。仕切り板２３は、前板１９と後板２０との間に接着剤、縫製等の接合手段によって一体に接合してもよいし、前板１９と後板２０との間に面ファスナー等の着脱手段によって着脱可能に接合してもよい。
【００４４】
第３袋部１８の第１室２４及び第２室２５内には、スリーブ、ビニルテープ、バインド線等の資材類が収納される。
【００４５】
なお、第３袋部１８を、前板１９と両側板２１と底板２２とによって構成して、両側板２１と底板２２の端部を第２袋部１２の前板１３に一体に接合するように構成してもよい。
【００４６】
内蓋２６は、絶縁性を有するとともに、弾性変形可能な材料（布、革、合成革、合成樹脂等）から形成される四角板状をなすものであって、第３袋部１８の開口部を閉塞可能な寸法に設定されている。内蓋２６は、長さ方向の一端が第３袋部１８の第２袋部１２側の開口縁部に接着剤、縫製等の接合手段によって一体に接合され、長さ方向の他端が第３袋部１８の前面１８ａ側の上部に面ファスナー等の着脱手段（図示せず）によって着脱可能に接合されている。
【００４７】
外蓋２８は、絶縁性を有するとともに、弾性変形可能な材料（布、革、合成革、合成樹脂等）から形成される四角板状をなすものであって、第１袋部３、第２袋部１２、及び第３袋部１８の開口部を閉塞可能な寸法に設定されている。
【００４８】
外蓋２８は、長さ方向の一端が第１袋部３の背面３ｂ側の開口縁部に接着剤、縫製等の接合手段によって一体に接合され、長さ方向の他端が第３袋部１８の前面１８ａ側の上部（内蓋２６の他端よりも下側の部分）に面ファスナー等の着脱手段（図示せず）によって着脱可能に接合されている。
なお、外蓋２８を開いた際に、外蓋２８の長さ方向の他端を第１袋部３の背面３ｂ側に面ファスナー等の着脱手段（図示せず）によって着脱可能に接合するように構成してもよい。
【００４９】
肩掛け用紐３０は、絶縁性を有する材料（布、革、合成革、合成樹脂等）から形成される紐状をなすものであって、両端が第１袋部３の背面３ｂ側の上部に接着剤、縫製等の接合手段によって一体に接合されている。肩掛け用紐３０は、長さの調節が可能に構成されている。
【００５０】
固定用ベルト３１は、絶縁性を有する材料（布、革、合成革、合成樹脂等）から形成されるベルト状をなすものであって、両端が第１袋部３の背面３ｂ側の下部に接着剤、縫製等の接合手段によって一体に接合されている。固定用ベルト３１は、締付け具（図示せず）により締め付け可能に構成されるとともに、長さの調節が可能に構成されている。
【００５１】
なお、本実施の形態においては、第１袋部３の全高ｈ１を３５０ｍｍ、幅ｂ１を２００ｍｍ、奥行ｃ１を１００ｍｍに設定し、第１室９の幅ｂ１−１を１４０ｍｍ、第２室１０の幅ｂ１−２を３０ｍｍ、第３室１１の幅ｂ１−３を３０ｍｍ、仕切り８の高さｈ１−１を２００ｍｍに設定している。また、第２袋部１２の高さｈ２を１５０ｍｍ、幅ｂ２を２００ｍｍ、奥行ｃ２を３０ｍｍに設定し、第３袋部１８の高さｈ３を１００ｍｍ、幅ｂ３を２００ｍｍ、奥行ｃ３を２０ｍｍに設定し，第１室２４の幅ｂ３−１を１００ｍｍ、第２室２５の幅ｂ３−２を１００ｍｍに設定している。
【００５２】
上記のように構成した本実施の形態による作業用工具袋１を用いて、電線ヒューズの取り替え作業を行うには、まず、地上において、外蓋２８及び内蓋２６を開いた状態として、第１袋部３の第１室９内に低圧用絶縁ゴム手袋を収納し、第２室１０内に電線ヒューズ等の部品類を収納し、第３室１１内に圧縮ペンチ等の工具類を収納する。また、第２袋部１２の工具差し１７にドライバー、カッターナイフ、ラチェットレンチ等の工具類を差し込み、第３袋部１８の第１室２４内にスリーブ等の資材類を収納し、第２室２５内にビニルテープ、バインド線等の資材類を収納する。
【００５３】
次に、内蓋２６を閉じて第３袋部１８の開口部を閉塞し、外蓋２８を閉じて第１袋部３、第２袋部１２の開口部を閉塞するとともに、第３袋部１８の開口部を内蓋２６の外側から二重に閉塞する。
【００５４】
次に、肩掛け用紐３０を肩に斜に掛け、固定用ベルト３１を胴に回して締め付けることにより、作業用工具袋１を腰に固定する。
【００５５】
次に、電柱を所定の高さまで登って、胴から固定用ベルト３１を取り外し、肩から肩掛け用紐３０を取り外し、肩掛け用紐３０を電柱の足場ボルトに引っ掛け、固定用ベルト３１を電柱の周囲に回して締め付けることにより、作業用工具袋１を電柱に固定する。
【００５６】
そして、外蓋２８及び内蓋２６を開いて、作業に必要な低圧用絶縁ゴム手袋を第１袋部３から取り出して手に装着し、電線ヒューズを第１袋部３から取り出し、電線ヒューズ３の取り替えに必要な工具類（圧縮ペンチ、カッターナイフ、ビニルテープ等）を第１袋部３、第２袋部１２、及び第３袋部１８から出し入れして、電線ヒューズの取り替え作業を行う。
【００５７】
そして、電線ヒューズの取り替え作業の完了後に、取り外した電線ヒューズを第１袋部３内に回収し、内蓋２６及び外蓋２８を閉じた状態として、第１袋部３、第２袋部１２、及び第３袋部１８の開口部を閉塞する。
【００５８】
そして、固定用ベルト３１を電柱から取り外し、肩掛け用紐３０を電柱の足場ボルトから取り外し、肩掛け用紐３０を肩に斜に掛け、固定用ベルト３１を胴に回して締め付けることにより、作業用工具袋１を腰に固定し、この状態で電柱から地上に降りて、取り替えた電線ヒューズ、圧縮ペンチ等の工具類、ビニルテープ等の資材類を回収することにより、電線ヒューズの取り替え作業が完了することになる。
【００５９】
上記のように構成した本実施の形態の作業用工具袋１にあっては、電柱に登って電線ヒューズの取り替え作業を行う場合に、作業用工具袋１の第３袋部１８の開口部を内蓋２６によって閉塞し、第１袋部３及び第２袋部１２の開口部を外蓋２８によって閉塞し、第３袋部１８の開口部を内蓋２６の外側から外蓋２８によって二重に閉塞するとともに、肩掛け用紐３０を肩に斜に掛け、固定用ベルト３１を胴に締め付けることにより、作業用工具袋１を腰に固定しているので、電柱を登る際の作業者の姿勢によって作業用工具袋１が傾いても、第１袋部３の内部から電線ヒューズ等の部品類や圧縮ペンチ等の工具類が、第２袋部１２の内部からドライバー、カッターナイフ等の工具類が、第３袋部１８の内部からスリーブ等の資材類がそれぞれ地上に落下するようなことはなく、電柱を登る際の安全を確保することができる。
【００６０】
また、電柱の所定の高さまで登って電線ユーズの取り替え作業を行う場合に、電柱の足場ボルトに肩掛け用紐３０を引っ掛け、電柱の周囲に固定用ベルト３１を回して締め付けることにより、作業用工具袋１を電柱に固定しているので、取り替え作業中の作業者の姿勢によって作業用工具袋１が傾くようなことはない。従って、作業者が第１袋部３から電線ヒューズ等の部品類や圧縮ペンチ等の工具類を出し入し、第２袋部１２からドライバー、カッターナイフ等の工具類の出し入れし、第３袋部１８からスリーブ等の資材類の出し入れする際に、それらが地上に落下するおそれはなく、電線ヒューズの取り替え作業中の安全を確保することができる。
【００６１】
また、電線ヒューズ等の部品類、及び圧縮ペンチ等の工具類を第１袋部３の所定の位置に、ドライバー、カッターナイフ等の工具類を第２袋部１２の所定の位置に、スリーブ等の資材類を第３袋部１８の所定の位置にそれぞれ整理して収納しているので、部品類や工具類や資材類を出し入れする際に、部品類同士、工具類同士、資材類同士が引っ掛かって地上に落下するようなことはない。また、部品類、工具類、資材類を第１袋部３、第２袋部１２、及び第３袋部１８から容易に、効率良く出し入れすることができるので、電線ヒューズの取り替え作業を効率良く行うことができる。
【００６２】
また、内蓋２６を面ファスナー等の着脱手段２７によって第３袋部１８の前面１８ａ側に着脱可能に接合させ、外蓋２８を面ファスナー等の着脱手段２９によって第３袋部１８の前面１８ａ側に着脱可能に接合させているので、第３袋部１８、第１袋部３、及び第２袋部１２の開口部の開閉を容易に行うことができる。
【００６３】
また、弱電線等の装柱状況に影響されることなく、電柱の所定の高さまで登って所定の柱上作業を行うことができるので、適用可能な作業現場の範囲を広げることができる。
【００６４】
なお、前記の説明においては、袋本体２を第１袋部３と第２袋部１２と第３袋部１８の３つの袋部によって構成したが、袋本体２を２つの袋部又は４つ以上の袋部によって構成してもよい。
【００６５】
また、前記の説明においては、電線ヒューズの取り替え作業に本発明の作業用工具袋１を用いた場合について説明したが、他の柱上作業に本発明の作業用工具袋１を適用してもよい。
また、電柱の柱上作業に限らず、他の高所での作業に本発明の作業用工具袋１を適用してもよい。
【符号の説明】
【００６６】
１  作業用工具袋
２  袋本体
３  第１袋部
４  前板
５  後板
６  側板
７  底板
８  仕切り板
９  第１室
１０  第２室
１１  第３室
１２  第２袋部
１３  前板
１４  後板
１５  側板
１６  底板
１７  工具差し
１８  第３袋部
１９  前板
２０  後板
２１  側板
２２  底板
２３  仕切り板
２４  第１室
２５  第２室
２６  内蓋
２８  外蓋
３０  肩掛け用紐
３１  固定用ベルト
【図１】
2017193031.tif 000003
【図２】
2017193031.tif 000004
【図３】
2017193031.tif 000005